(57)【要約】【課題】データ端末のアプリケーションで伝送路を指定する無線通信システムでは、異なる無線通信システムでデータ端末を共有する場合や異なるデータを送信する場合には、必ずしも最適な伝送路を選択することができない。【解決手段】各々データ端末に接続された対向する第１及び第２の無線局３ａ、３ｂ間で無線通信する無線通信システムにおいて、各無線局３（３ａ，３ｂ）では、接続されたデータ端末から入力された少なくとも送信すべきデータの性質及びデータ量をデータ分析手段７により分析する。伝送路選択手段８は、データ分析手段７により分析された送信するデータの分析結果から最適な伝送路を自動的に選択し、選択した伝送路で通信手段９により他方の無線局へデータを無線送信する。これにより、本発明では通信プロトコルを意識する必要がなくなり、データの信頼性に問題を発生したり、無用な通信を繰り返す現象を防止できる。【選択図】            図２
2004343456.tif 000002
【特許請求の範囲】
【請求項１】
対向する第１及び第２の無線局間の無線回線の伝送路として、複数種類の伝送路のうち一の種類の伝送路を選択して無線通信する無線通信システムであって、
前記第１及び第２の無線局のそれぞれは、
接続されたデータ端末から入力された少なくとも送信すべきデータの性質及びデータ量を分析するデータ分析手段と、
前記データ分析手段による分析結果に応じて、前記複数種類の伝送路のうち、一の種類の伝送路を選択する伝送路選択手段と、
前記伝送路選択手段により選択された一の種類の伝送路を使用した無線通信を行う通信手段と
を有することを特徴とする無線通信システム。
【請求項２】
前記データ分析手段は、前記送信すべきデータが所定の情報であるときには最重要情報であると分析した分析結果を出力し、前記伝送路選択手段は、前記最重要情報のデータ送信時は、データの大きさに関係なく複信で、かつ、トラヒックチャネルを用いた伝送路を選択することを特徴とする請求項１記載の無線通信システム。
【請求項３】
前記データ分析手段は、前記送信すべきデータが前記所定の情報を含まず、かつ、画像情報を含むとき、又は前記送信すべきデータが第１の所定ビット数以下で、かつ、前記所定の情報を含まないときには重要情報と分析した分析結果を出力し、前記伝送路選択手段は、前記画像情報を含む前記重要情報の分析結果が得られたデータの送信時は、単信で、かつ、トラヒックチャネルを用いた伝送路を選択し、前記第１の所定ビット数以下で、かつ、前記所定の情報を含まない重要情報の分析結果が得られたデータの送信時は、単信で、かつ、ユーザーパケットチャネルを用いた伝送路を選択することを特徴とする請求項２記載の無線通信システム。
【請求項４】
前記データ分析手段は、前記送信すべきデータが前記所定の情報を含まず、かつ、画像情報を含んでいないときには一般情報と分析した分析結果を出力し、前記送信すべきデータが前記第１の所定のビット数よりも大きな第２の所定ビット数以上であるときには大容量データの分析結果を出力し、前記伝送路選択手段は、前記一般情報で、かつ、前記大容量の分析結果が得られたデータの送信時は、単信で、かつ、トラヒックチャネルを用いた伝送路を選択し、前記一般情報で、かつ、前記大容量データではない分析結果が得られたデータの送信時は、単信で、かつ、ユーザーパケットチャネルを用いた伝送路を選択することを特徴とする請求項２又は３記載の無線通信システム。
【請求項５】
所定の制御局を介在させた対向する第１及び第２の無線局間の無線回線の伝送路として、複数種類の伝送路のうち一の種類の伝送路を選択して無線通信する無線通信システムであって、
前記第１及び第２の無線局のそれぞれは、
接続されたデータ端末から入力された少なくとも送信すべきデータの性質及びデータ量を分析するデータ分析手段と、
前記データ分析手段による分析結果とトラヒックの状況に応じて、前記複数種類の伝送路のうち、使用可能で、かつ、前記分析結果に応じた一の種類の伝送路を選択する伝送路選択手段と、
前記伝送路選択手段により選択された一の種類の伝送路を使用した無線通信を行う通信手段と
を有することを特徴とする無線通信システム。
【請求項６】
所定の制御局を介在させた対向する第１及び第２の無線局間の無線回線の伝送路として、複数種類の伝送路のうち一の種類の伝送路を選択して無線通信する無線通信システムであって、
前記第１及び第２の無線局のそれぞれは、
当該無線局が搭載されている車両の速度情報を検出する第１の検出手段と、
当該無線局の受信電界強度を検出する第２の検出手段と、
前記車両の位置情報を検索する第３の検出手段と、
接続されたデータ端末から入力された少なくとも送信すべきデータの性質及びデータ量を分析するデータ分析手段と、
前記データ分析手段による分析結果と前記速度情報と前記受信電界強度と前記位置情報とトラヒックの状況とに応じて、前記複数種類の伝送路のうち使用可能な一の種類の伝送路を選択する伝送路選択手段と、
前記伝送路選択手段により選択された一の種類の伝送路を使用した無線通信を行う通信手段と
を有することを特徴とする無線通信システム。
【請求項７】
前記所定の制御局はＭＣＡ制御局であり、前記伝送路選択手段は、選択する一の種類の前記伝送路として、通信形態が単方向通信、単信又は複信の双方向通信、複数の同一種類のチャネルを同時に使用して通信する多重通信、及び情報の異なる種類のチャネルを同時に使用して通信する複合通信のいずれか一の通信形態を選択し、かつ、通信のためにトラヒックチャネル、ユーザーパケットチャネル及び付随チャネルのいずれかのチャネルを選択することを特徴とする請求項５又は６記載の無線通信システム。
【請求項８】
前記伝送路選択手段は、前記データ分析手段により所定の分析結果が得られたときには、該所定の分析結果に応じて最初に選択した伝送路が輻輳状態にあるかどうか判定し、輻輳状態にあるときには単信で、かつ、トラヒックチャネルを用いた伝送路を選択し、輻輳状態にないときには前記最初に選択した伝送路を使用する伝送路として決定することを特徴とする請求項５乃至７のうちいずれか一項記載の無線通信システム。
【請求項９】
前記伝送路選択手段は、前記データ分析手段により所定のビット数以下の簡易メッセージ又は一般メッセージの分析結果が得られたときには、前記速度情報に基づき所定の速度以上であるか否か判定し、該所定の速度以上であるときには単信で、かつ、トラヒックチャネルを用いた伝送路を選択し、該所定の速度未満であるときには情報の異なる種類のチャネルを同時に使用して通信する複合通信による伝送路を選択することを特徴とする請求項６記載の無線通信システム。
【発明の詳細な説明】
【０００１】
【発明の属する技術分野】
本発明は無線通信システムに係り、特に複数種類の伝送路を選択使用してデータ通信を行う無線通信システムに関する。
【０００２】
【従来の技術】
従来、複数種類の伝送路を選択使用してデータ通信を行う無線通信システムでは、第１のデータ端末が第１の無線局に接続され、第２のデータ端末が第２の無線局に接続され、第１及び第２の無線局の間は無線回線で接続され、第１及び第２のデータ端末間で第１及び第２の無線局を介して所望のデータ通信を行う。ここで、第１及び第２のデータ端末の間に複数の切り替え可能な伝送路を有し、その中からデータ伝送状態が最も良好な伝送路をアプリケーション側で選択指定する無線通信システムが従来、知られている（例えば、特許文献１参照）。
【０００３】
この特許文献１記載の従来の無線通信システムでは、電源投入時、通信開始直後及び電源投入後一定時間毎のいずれかにおいて、通信可能な伝送路を選択して予め設定する伝送路予選択手段と、伝送路予選択手段により設定された各伝送路に対し、逐次テストのためのデータを複数回受信側に送信し、受信側よりの応答信号により該データの到達状況の良不良を判別し、該データの到達状況が良である伝送路を選択する伝送路選択手段と、伝送路選択手段により選択された伝送路を記憶する記憶手段と、通信のためのデータ伝送開始に先立ち、記憶手段により記憶されている伝送路を使用してデータ伝送を開始する伝送路確定手段とを設けることにより、複数の切り替え可能な伝送路のうちより通信可能な伝送路を自動的に選択し、自動的に選択された伝送路より通信状態の良好な伝送路を選別してデータ伝送を開始する。
【０００４】
【特許文献１】
特開平５−２６８１９４号公報（第２４、２５頁）
【０００５】
【発明が解決しようとする課題】
しかし、上記の従来の無線通信システムでは、異なる無線通信システムでデータ端末を共有する場合や、同じデータ端末で異なる種類のデータを通信する場合には、必ずしも最適な伝送路を選択することができず、データの信頼性に問題を発生したり、無用な通信を繰り返したりしてしまうという問題がある。
【０００６】
本発明は上記の点に鑑みなされたもので、複数種類の伝送路を選択使用してデータ通信を行う無線通信システムにおいて、入力されたデータの量や性質に最適な伝送路の種類を選択し、効率良くデータ通信を行い得る無線通信システムを提供することを目的とする。
【０００７】
【課題を解決するための手段】
上記の目的を達成するため、第１の発明は、対向する第１及び第２の無線局間の無線回線の伝送路として、複数種類の伝送路のうち一の種類の伝送路を選択して無線通信する無線通信システムであって、第１及び第２の無線局のそれぞれは、接続されたデータ端末から入力された少なくとも送信すべきデータの性質及びデータ量を分析するデータ分析手段と、データ分析手段による分析結果に応じて、複数種類の伝送路のうち、一の種類の伝送路を選択する伝送路選択手段と、伝送路選択手段により選択された一の種類の伝送路を使用した無線通信を行う通信手段とを有する構成としたものである。
【０００８】
この発明では、送信すべきデータ（伝送しようとするデータ）の性質及びデータ量に応じて複数種類の伝送路の中から最適な伝送路を送信側の無線局で選択して無線通信することができる。
【０００９】
また、上記の目的を達成するため、第２の発明は、第１の発明におけるデータ分析手段を、送信すべきデータが所定の情報であるときには最重要情報であると分析した分析結果を出力し、伝送路選択手段は、最重要情報のデータ送信時は、データの大きさに関係なく複信で、かつ、トラヒックチャネルを用いた伝送路を選択する構成に特定したものである。この発明では、最重要情報として分析されたデータを、複信で、かつ、トラヒックチャネルを用いた伝送路で伝送するため、確実な伝送ができる。
【００１０】
また、上記の目的を達成するため、第３の発明は、第１の発明におけるデータ分析手段を、送信すべきデータが所定の情報を含まず、かつ、画像情報を含むとき、又は送信すべきデータが第１の所定ビット数以下で、かつ、所定の情報を含まないときには重要情報と分析した分析結果を出力し、伝送路選択手段は、画像情報を含む重要情報の分析結果が得られたデータの送信時は、単信で、かつ、トラヒックチャネルを用いた伝送路を選択し、第１の所定ビット数以下で、かつ、所定の情報を含まない重要情報の分析結果が得られたデータの送信時は、単信で、かつ、ユーザーパケットチャネルを用いた伝送路を選択することを特徴とする。
【００１１】
また、上記の目的を達成するため、第４の発明は、第２又は第３の発明におけるデータ分析手段が、送信すべきデータが所定の情報を含まず、かつ、画像情報を含んでいないときには一般情報と分析した分析結果を出力し、送信すべきデータが第１の所定のビット数よりも大きな第２の所定ビット数以上であるときには大容量データの分析結果を出力する構成であり、伝送路選択手段が、一般情報で、かつ、大容量の分析結果が得られたデータの送信時は、単信で、かつ、トラヒックチャネルを用いた伝送路を選択し、一般情報で、かつ、大容量データではない分析結果が得られたデータの送信時は、単信で、かつ、ユーザーパケットチャネルを用いた伝送路を選択する構成であることを特徴とする。
【００１２】
この発明では、一般情報で、かつ、大容量の分析結果が得られたデータの送信時は２スロットの多重通信で、かつ、トラヒックチャネルを用いた伝送路を選択し、一般情報で、かつ、大容量データではない分析結果が得られたデータの送信時は、単信で、かつ、ユーザーパケットチャネルを用いた伝送路を選択するようにしたため、データサイズに応じた最適な伝送路の選択ができる。
【００１３】
また、上記の目的を達成するため、第５の発明は、所定の制御局を介在させた対向する第１及び第２の無線局間の無線回線の伝送路として、複数種類の伝送路のうち一の種類の伝送路を選択して無線通信する無線通信システムであって、第１及び第２の無線局のそれぞれは、接続されたデータ端末から入力された少なくとも送信すべきデータの性質及びデータ量を分析するデータ分析手段と、データ分析手段による分析結果とトラヒックの状況に応じて、複数種類の伝送路のうち、使用可能で、かつ、分析結果に応じた一の種類の伝送路を選択する伝送路選択手段と、伝送路選択手段により選択された一の種類の伝送路を使用した無線通信を行う通信手段とを有する構成としたものである。
【００１４】
この発明では、送信側の無線局で送信すべきデータの性質及びデータ量に応じて複数種類の伝送路の中から使用可能で、かつ、分析結果に応じた一の種類の伝送路を選択するようにしたため、トラヒックの状況に応じて臨機応変に伝送路を選択して第１及び第２の無線局間で所定の制御局を介在させた無線通信をすることができる。
【００１５】
また、上記の目的を達成するため、第６の発明は、所定の制御局を介在させた対向する第１及び第２の無線局間の無線回線の伝送路として、複数種類の伝送路のうち一の種類の伝送路を選択して無線通信する無線通信システムであって、第１及び第２の無線局のそれぞれは、当該無線局が搭載されている車両の速度情報を検出する第１の検出手段と、当該無線局の受信電界強度を検出する第２の検出手段と、車両の位置情報を検索する第３の検出手段と、接続されたデータ端末から入力された少なくとも送信すべきデータの性質及びデータ量を分析するデータ分析手段と、データ分析手段による分析結果と速度情報と受信電界強度と位置情報とトラヒックの状況とに応じて、複数種類の伝送路のうち使用可能な一の種類の伝送路を選択する伝送路選択手段と、伝送路選択手段により選択された一の種類の伝送路を使用した無線通信を行う通信手段とを有する構成としたものである。
【００１６】
この発明では、送信すべきデータの性質及びデータ量を分析するデータ分析手段による分析結果だけでなく、更に速度情報と受信電界強度と位置情報とトラヒックの状況とに応じて、複数種類の伝送路のうち使用可能な一の種類の伝送路を選択するようにしたため、データの性質やデータサイズだけでなく、使用状況や電波受信環境などを加味した最適な伝送路の選択ができる。
【００１７】
ここで、第５又は第６の発明における所定の制御局はＭＣＡ制御局であり、伝送路選択手段は、選択する一の種類の伝送路として、通信形態が単方向通信、単信又は複信の双方向通信、複数の同一種類のチャネルを同時に使用して通信する多重通信、及び情報の異なる種類のチャネルを同時に使用して通信する複合通信のいずれか一の通信形態を選択し、かつ、通信のためにトラヒックチャネル、ユーザーパケットチャネル及び付随チャネルのいずれかのチャネルを選択することを特徴とする。
【００１８】
また、第５又は第６の発明における伝送路選択手段は、データ分析手段により所定の分析結果が得られたときには、所定の分析結果に応じて最初に選択した伝送路が輻輳状態にあるかどうか判定し、輻輳状態にあるときには単信で、かつ、トラヒックチャネルを用いた伝送路を選択し、輻輳状態にないときには最初に選択した伝送路を使用する伝送路として決定することを特徴とする。
【００１９】
また、第６の発明における伝送路選択手段は、データ分析手段により所定のビット数以下の簡易メッセージ又は一般メッセージの分析結果が得られたときには、速度情報に基づき所定の速度以上であるか否か判定し、所定の速度以上であるときには単信で、かつ、トラヒックチャネルを用いた伝送路を選択し、所定の速度未満であるときには情報の異なる種類のチャネルを同時に使用して通信する複合通信による伝送路を選択することを特徴とする。
【００２０】
【発明の実施の形態】
次に、本発明の実施の形態について図面と共に説明する。図１は本発明になる無線通信システムの第１の実施の形態の概略構成図を示す。同図において、第１のデータ端末１ａは、データケーブル２ａを介して第１の無線局３ａに接続されている。他方、第２のデータ端末１ｂは、データケーブル２ｂを介して第２の無線局３ｂに接続されている。また、対向する第１の無線局３ａと第２の無線局３ｂとの間は無線回線４で接続される。これにより、データ端末１ａと１ｂの間では、無線局３ａ、３ｂと無線回線４を介在させてデータ通信が行われる。
【００２１】
無線局３ａ及び３ｂは同一構成であり、例えば図２のブロック図に示す構成とされている。同図において、無線局３（３ａ，３ｂ）は、データ端末１ａ又は１ｂからデータケーブルを経由して入力されたデータの大きさ（サイズ）と性質を分析するデータ分析手段７と、データ分析手段７によるデータの分析結果に基づいて該データに最も適した伝送路を選択する伝送路選択手段８と、伝送路選択手段８により選択された伝送路で通信を行う通信手段９とを備えている。
【００２２】
無線局３ａと３ｂ間の無線回線４は、図３（Ａ）に示すように、ｎ組のキャリア対からなる。各キャリア対は往路キャリアと復路キャリアとからなり、１つの伝送路に相当する。また、往路キャリアと復路キャリアのそれぞれは、共通アクセスチャネルＣＡＣと、ユーザー個別チャネルＵＳＣとを時系列的に合成された構成である。
【００２３】
また、図３（Ｂ）に示すように、共通アクセスチャネルＣＡＣは接続制御のために使用されるチャネルであり、ユーザー個別チャネルＵＳＣは通信のために使用されるチャネルである。更に、ユーザー個別チャネルＵＳＣは、ユーザーの一般通信及び中容量のデータ通信を行う際に使用されるトラヒックチャネルＴＣと、小容量のデータ通信を行う際に使用されるユーザーパケットチャネルＵＰＣからなる。
【００２４】
更に、データ端末１ａと１ｂの間の、無線局３ａ、３ｂと無線回線４を介在させてのデータ通信の通信形態は、図３（Ｃ）に示すように、双方向通信と多重通信のいずれかであり、双方向通信には、データを往路チャネルと復路チャネルを交互に使用して通信する単信と、データを往路チャネルと復路チャネルを同時に使用して通信する複信とがある。また、多重通信は、一般的なデータを複数の同一種類のチャネルを同時に使用して通信する２スロット通信である。
【００２５】
次に、本実施の形態について、図１乃至図３と図４のフローチャートを併せ参照して説明する。いま、図１のデータ端末１ａからデータ端末１ｂへデータを送信するものとする。この場合、データ端末１ａはデータケーブル２ａを経由して無線局３ａへデータを入力する。無線局３ａに入力されたデータは、図２に示すデータ分析手段７によってデータの大きさ（データサイズ）が伝送路の構成を基準として分析され、データの性質がデータの用途によって分析される。
【００２６】
すなわち、データ分析手段７は送信するデータの大きさが１００ビット以下かどうか判定し（図４のステップＳ１）、１００ビット以下であるときにはデータの性質が物品の受発注情報であるどうか判定し（図４のステップＳ２）、１００ビットよりも大きいときにはデータの大きさが１ｋビット以上であるかどうか判定する（図４のステップＳ３）。
【００２７】
１ｋビット以上とデータサイズが大容量であるときには、データが画像情報であるかどうか判定し（図４のステップＳ４）、画像情報であれば、送信するデータは重要情報であり、かつ、大容量であるという分析結果を伝送路選択手段８へ出力し（図４のステップＳ５）、伝送路選択手段８により単信で、かつ、ユーザー個別チャネルＵＳＣはトラヒックチャネルＴＣを用いた伝送路の選択を行わせる（図４のステップＳ６）。これにより、送信するデータが大容量であるが重要なデータであるので、往路チャネルと復路チャネルを交互に使用してデータ送信が行われる。
【００２８】
一方、データ分析手段７は、送信するデータが１ｋビット以上であるが、画像情報でなければ、送信するデータは一般情報であり、かつ、大容量であるという分析結果を伝送路選択手段８へ出力し（図４のステップＳ７）、伝送路選択手段８により２スロットの多重通信で、かつ、ユーザー個別チャネルＵＳＣはトラヒックチャネルＴＣを用いた伝送路の選択を行わせる（図４のステップＳ８）。これにより、データは重要ではないので、通信効率を優先して大容量データを効率良く伝送できる。
【００２９】
一方、データ分析手段７は、送信するデータが１００ビットより大きく、１ｋビット未満であると判定したときには、データが画像情報であるかどうか判定し（図４のステップＳ９）、画像情報であれば、受発注情報であるかどうか判定する（図４のステップＳ１０）。受発注情報であれば送信するデータは最重要情報であり、かつ、中容量であるという分析結果を伝送路選択手段８へ出力し（図４のステップＳ１１）、伝送路選択手段８により複信で、かつ、ユーザー個別チャネルＵＳＣはトラヒックチャネルＴＣを用いた伝送路の選択を行わせる（図４のステップＳ１２）。これにより、最重要データは、通信効率よりも正確な送信を優先して往路チャネルと復路チャネルを同時に使用して送信される。
【００３０】
他方、データ分析手段７は、ステップＳ１０で受発注情報でないと判定したときには、送信するデータは重要情報であり、かつ、中容量であるという分析結果を伝送路選択手段８へ出力し（図４のステップＳ１３）、伝送路選択手段８により単信で、かつ、ユーザー個別チャネルＵＳＣはトラヒックチャネルＴＣを用いた伝送路の選択を行わせる（図４のステップＳ１４）。また、ステップＳ９で画像情報でないと判定したときには、送信するデータは一般情報であり、かつ、中容量であるという分析結果を伝送路選択手段８へ出力し（図４のステップＳ１５）、伝送路選択手段８により単信で、かつ、ユーザー個別チャネルＵＳＣはユーザーパケットチャネルＵＰＣを用いた伝送路の選択を行わせる（図４のステップＳ１６）。
【００３１】
また、データ分析手段７は、送信するデータが１００ビット以下であり、かつ、受発注情報であるときには、送信するデータは最重要情報であり、かつ、小容量であるという分析結果を伝送路選択手段８へ出力し（図４のステップＳ１７）、伝送路選択手段８により複信で、かつ、ユーザー個別チャネルＵＳＣはトラヒックチャネルＴＣを用いた伝送路の選択を行わせ（図４のステップＳ１８）、受発注情報でないときには、送信するデータは重要情報であり、かつ、小容量であるという分析結果を伝送路選択手段８へ出力し（図４のステップＳ１９）、伝送路選択手段８により単信で、かつ、ユーザー個別チャネルＵＳＣはユーザーパケットチャネルＵＰＣを用いた伝送路の選択を行わせる（図４のステップＳ２０）。
【００３２】
従って、例えば物品の発注情報と画像情報を含む３０ビットのデータを送ろうとした場合、データ分析手段７により最重要情報＋小容量と分析され、伝送路選択手段８により複信で、かつ、ユーザー個別チャネルＵＳＣはトラヒックチャネルＴＣを用いた伝送路の選択が行われる。
【００３３】
このように、本実施の形態では、データ分析手段７は送信するデータが受発注情報であるときにはデータサイズに関係なく最重要情報であると分析し、１００ビット以下の小容量のデータが受発注情報でないとき、又は１００ビットよりも大きなデータが画像情報を含んでいないときには一般情報であると分析し、画像情報を含んでいるときには重要情報と分析し、それらの分析結果に応じて伝送路選択手段８により最適な伝送路の選択を行わせる。
【００３４】
伝送路選択手段８は、最重要情報のデータ送信時は、できるだけ確実な送信ができるように、複信で、かつ、トラヒックチャネルＴＣを用いた伝送路を選択し、重要情報のデータ送信時は、単信で、かつ、トラヒックチャネルＴＣ又はユーザー個別チャネルＵＰＣを用いた伝送路を選択する。
【００３５】
このように、送信側の無線局３ａは伝送路選択手段８により送信するデータの分析結果から最適な伝送路を自動的に選択し、選択した伝送路で通信手段９により無線局３ｂへデータを無線送信する。これにより、本実施の形態によれば、従来はデータ通信のアプリケーションで考慮しなければならかった通信プロトコルを意識する必要がなくなり、データの信頼性に問題を発生したり、無用な通信を繰り返す現象を防止できる。
【００３６】
次に、本発明の第２の実施の形態について説明する。図５は本発明になる無線通信システムの第２の実施の形態の概略構成図を示す。同図中、図１と同一構成部分には同一符号を付してある。本実施の形態はＭＣＡ（ｍｕｌｔｉ−ｃｈａｎｎｅｌ  ａｃｃｅｓｓ）無線システムに適用した例であり、無線局３ａとＭＣＡ制御局５との間では無線回線６ａにより無線通信が行われ、無線局３ｂとＭＣＡ制御局５との間では無線回線６ｂにより無線通信が行われる。
【００３７】
無線回線６ａ、６ｂは、図６（Ａ）に示すように、ｎ組のキャリア対からなる。各キャリア対は往路キャリアと復路キャリアとからなり、１つの伝送路に相当する。また、往路キャリアと復路キャリアのそれぞれは、共通アクセスチャネルＣＡＣと、ユーザー個別チャネルＵＳＣとを時系列的に合成された構成である。
【００３８】
また、図６（Ｂ）に示すように、共通アクセスチャネルＣＡＣは接続制御のために使用されるチャネルであり、ユーザー個別チャネルＵＳＣは通信のために使用されるチャネルである。ＭＣＡ無線システムではデータの伝送路として、ＵＳＣにはトラヒックチャネルＴＣと、ユーザーパケットチャネルＵＰＣと、付随チャネルＡＣＣとが用意されており、通信と通信制御のために使用される付随チャネルＡＣＣには高速付随チャネルＦＡＣＣが用意されている。
【００３９】
このうち、トラヒックチャネルＴＣはユーザーの一般通信に使用されるＵＳＣであり、ユーザーパケットチャネルＵＰＣは、ユーザーのパケット通信に使用されるＵＳＣであり、これらには図６（Ｃ）に示すように単信と複信及び単信２スロット使用（多重通信）の通信形態があり、更に、誤り訂正の有無も選択可能である。また、図６（Ｂ）に示すようにＵＰＣには、共通アクセスチャネルＣＡＣを使用するものと、ユーザー個別チャネルＵＳＣを使用するものとがある。
【００４０】
更に、この実施の形態のデータ通信の通信形態は、図６（Ｃ）に示すように、単方向通信と双方向通信と多重通信と複合通信とがあり、単方向通信は往路チャネルのみを使用する通信形態で報知と称され、双方向通信には、データを往路チャネルと復路チャネルを交互に使用して通信する単信と、データを往路チャネルと復路チャネルを同時に使用して通信する複信とがある。また、多重通信は、一般的なデータを複数の同一種類のチャネルを同時に使用して通信する２スロット通信である。更に、複合通信は、情報の異なる種類のチャネルを同時に使用する通信形態で、コンポジットと称される。
【００４１】
ＭＣＡ無線システムの特徴として特記すべき点は無線回線の使用状況や外部環境によって、回線や機能の使用が規制されることである。本実施の形態では、データの性質によって伝送路を選択する方式は先に示した第１の実施の形態と共通であるが、トラヒックの状況により使えない伝送路がある場合、次の候補に切り替えて伝送する機能を、無線局３ａ、３ｂ内の伝送路選択手段８に追加している。
【００４２】
次に、本実施の形態の動作について、図５及び図６と図７のフローチャートを併せ参照して説明する。データを送信する側の図５の無線局３ａ又は３ｂ内のデータ分析手段は、送信するデータの大きさが１００ビット以下かどうか判定し（図７のステップＡ１）、１００ビット以下であるときには小容量データであるので、送信するデータに付加されているコマンドに基づいて、データの通信形態がＡＶＭ通信であるどうか判定し（図７のステップＡ２）、１００ビットよりも大きいときにはデータの大きさが１ｋビット以上であるかどうか判定する（図７のステップＡ３）。
【００４３】
ここで、上記のＡＶＭ通信は、５桁の数字に対してユーザが予め意味を持たせておき、その数字のやり取りにて通信を行う通信形態である。例えば、「１２３４５」という５桁の数字に「事務所に電話」という意味を、ユーザが意味付けをしておき、この５桁の数字を送信することにより、受信側は「事務所に電話」と理解する。
【００４４】
１ｋビット以上とデータサイズが大容量であるときには、データが画像情報であるかどうか判定し（図７のステップＡ４）、画像情報であれば、送信するデータはファクシミリ（ＦＡＸ）情報であるという分析結果を伝送路選択手段８へ出力し（図７のステップＡ５）、画像情報でなければ、送信するデータはデータベース情報であるという分析結果を伝送路選択手段８へ出力する（図７のステップＡ６）。
【００４５】
また、ステップＡ３で送信するデータの大きさが１ｋビット未満であると判定したときには中容量データであり、このときには通信形態が「対指令」であるかどうかを送信するデータに付加されているコマンドに基づいて判定する（図７のステップＡ７）。ここで、システムの通信形態として、移動局通信と、移動局−指令局間通信の２種類の通信形態が存在する。この移動局−指令局間通信をここでは「対指令」としている。
【００４６】
この「対指令」であるときにはデータの性質が物品の受発注情報であるかどうか判定する（図７のステップＡ８）。受発注情報であれば受発注情報であるという分析結果を伝送路選択手段８へ出力し（図７のステップＡ９）、受発注情報でなければ指令メッセージであるという分析結果を伝送路選択手段８へ出力する（図７のステップＡ１０）。また、ステップＡ７で「対指令」でないと判定したときには、一般メッセージであるという分析結果を伝送路選択手段８へ出力する（図７のステップＡ１１）。
【００４７】
また、送信側無線局内のデータ分析手段が、ステップＡ２で通信形態が「ＡＶＭ」であると判定したときには、送信するデータは簡易ＡＶＭ情報であるという分析結果を伝送路選択手段８へ出力し（図７のステップＡ１２）、「ＡＶＭ」でなければ簡易メッセージであるという分析結果を伝送路選択手段８へ出力する（図７のステップＡ１３）。
【００４８】
送信側無線局内の伝送路選択手段８は、ＦＡＸ情報の分析結果が入力されたときには、使用する伝送路が輻輳しているかどうか判定し（図７のステップＡ１４）、輻輳していなければ、伝送路が使用可能であるので、２スロットで、かつ、ユーザー個別チャネルＵＳＣはトラヒックチャネルＴＣを用いた伝送路の選択を行い（図７のステップＡ１５）、輻輳していればトラヒックにより使えない伝送路があるので、単信で、かつ、ユーザー個別チャネルＵＳＣはトラヒックチャネルＴＣを用いた次の候補の伝送路の選択を行う（図７のステップＡ１６）。また、上記の伝送路選択手段は、データベースの分析結果が入力されたときも、単信で、かつ、ユーザー個別チャネルＵＳＣとしてトラヒックチャネルＴＣを用いた伝送路の選択を行う（図７のステップＡ１６）。
【００４９】
また、上記の伝送路選択手段８は、受発注情報の分析結果が入力されたとき、又は簡易ＡＶＭ情報の分析結果が入力されたときには、伝送路が輻輳状態にあるかどうか判定し（図７のステップＡ１７、Ａ１８）、輻輳状態になければ伝送路が使用可能であるので、複信で、かつ、ユーザー個別チャネルＵＳＣはトラヒックチャネルＴＣを用いた伝送路の選択を行い（図７のステップＡ１９、Ａ２０）、輻輳状態にあるときにはトラヒックにより使用できない伝送路があるので、単信で、かつ、ユーザー個別チャネルＵＳＣはトラヒックチャネルＴＣを用いた次の候補の伝送路の選択を行う（図７のステップＡ２１）。また、指令メッセージの分析結果が入力されたときにも、ステップＡ２１による伝送路の選択が行われる。
【００５０】
更に、上記の伝送路選択手段８は、一般メッセージの分析結果が入力されたとき、又は簡易メッセージの分析結果が入力されたときには、コンポジットで、かつ、ユーザーパケットチャネルＵＰＣと高速付随チャネルＦＡＣＣを用いた伝送路の選択を行う（図７のステップＡ２２、Ａ２３）。
【００５１】
このように、本実施の形態によれば、無線回線の使用状況や外部環境によって、回線や機能の使用が規制されるＭＣＡ無線システムにおいて、送信側の無線局３ａ又は３ｂは伝送路選択手段８により送信するデータの分析結果から最適な伝送路を自動的に選択し、選択した伝送路がトラヒックの状況により使えない場合、次の候補の伝送路に切り替えて選択し、その選択した伝送路で通信手段によりＭＡＣ制御局５を介して受信側無線局３ｂ又は３ａへデータを無線送信することができる。
【００５２】
次に、本発明の第３の実施の形態について説明する。図８は本発明になる無線通信システムの第３の実施の形態における無線局１０のブロック図を示す。この第３の実施の形態の無線通信システムは図５に示したＭＣＡ無線システムに適用した例であり、全体の概略システム構成は図５とほぼ同様であるが、図５の無線局３ａ、３ｂが、例えば車両に搭載されており、かつ、図８の無線局１０の構成とされている点に特徴がある。
【００５３】
図８において、無線局１０は、データ端末からのデータが入力されるデータ分析手段１１及び伝送路選択手段１２と、伝送路選択手段１２により選択された伝送路で通信をＭＡＣ制御局との間で無線通信する通信手段１３とより構成されている。また、伝送路選択手段１２には、無線局１０を搭載した車両の速度計からの速度情報と、当該車両が搭載しているナビゲーションシステムからの位置検索情報と、ＭＣＡ制御局から送信された電波の無線局１０での受信電界強度情報とが入力され、データの性質だけでなく速度情報と位置検索情報と電界強度情報を利用して、伝送路の種類や繰り返し回数を選択する機能を有している。
【００５４】
次に、本実施の形態の動作について、図８及び図９のフローチャートと共に説明する。図９中、図７と同一処理ステップには同一符号を付し、その説明を省略する。送信側無線局の伝送路選択手段１２は、ＦＡＸ情報の分析結果が入力されたときに、伝送路が輻輳しているかどうか判定し（図９のステップＡ１４）、輻輳していないときにはフリンジ、すなわち、ＭＣＡ無線システムのサービスエリアの端であるかどうか判定する（図９のステップＡ２５）。
【００５５】
フリンジでないときには電波の強度は無線通信に十分であると判定して２スロットで、かつ、ユーザー個別チャネルＵＳＣはトラヒックチャネルＴＣを用いた伝送路の選択を行い（図９のステップＡ１５）、フリンジであるときには電波の強度が非常に弱いために、複信で、かつ、ユーザー個別チャネルＵＳＣはトラヒックチャネルＴＣを用いた伝送路の選択を行う（図９のステップＡ１９）。
【００５６】
また、伝送路選択手段１２は、ＦＡＸ情報の分析結果が入力されたときに、伝送路が輻輳しているとき、又はデータベースの分析結果が入力されたときには、その無線局の受信電界強度が所定の閾値以下の弱電界であるかどうか判定し（図９のステップＡ２６）、弱電界であるときには２スロットで、かつ、トラヒックチャネルＴＣを用いた伝送路の選択を行い（図９のステップＡ１５）、弱電界でなく十分な強度の受信電界が得られるときには、単信で、かつ、トラヒックチャネルＴＣを用いた伝送路の選択を行う（図９のステップＡ１６）。
【００５７】
また、伝送路選択手段１２は、一般メッセージの分析結果が入力されたとき、又は簡易メッセージの分析結果が入力されたときは、その無線局を搭載している車両の速度が所定の閾値以上の高速であるかどうか速度計からの速度情報に基づき判定し（図９のステップＡ２７、Ａ２８）、高速であるときには確実なデータ伝送を目的として、単信で、かつ、トラヒックチャネルＴＣを用いた伝送路の選択を行う（図９のステップＡ２１）。他方、高速でないときには、通信状態が安定しているので、ユーザーパケットチャネルＵＰＣと高速付随チャネルＦＡＣＣを用いた複合通信（コンポジット）による伝送路の選択を行い、情報の異なる種類のチャネルを同時に使用して高速伝送する（図９のステップＡ２２、Ａ２３）。
【００５８】
このように、本実施の形態によれば、無線回線の使用状況や外部環境によって、回線や機能の使用が規制されるＭＣＡ無線システムにおいて、送信側の無線局において、送信するデータの性質や速度情報及び電界強度情報に基づく分析結果から最適な伝送路を自動的に選択し、選択した伝送路で通信手段によりＭＡＣ制御局を介して受信側無線局へデータを無線送信することができる。
【００５９】
なお、本発明は以上の実施の形態に限定されるものではなく、例えば、送信するデータは受発注情報やメッセージ以外の情報でもよいことは勿論である。また、最重要データであるか重要データであるかは、使用用途に応じて適宜設定できる。
【００６０】
【発明の効果】
以上説明したように、本発明によれば、送信すべきデータ（伝送しようとするデータ）の性質及びデータ量に応じて複数種類の伝送路の中から最適な伝送路を送信側の無線局で選択して無線通信するようにしたため、従来、データ端末のアプリケーションで考慮しなければならなかった通信プロトコルを意識する必要が無くなり、その結果、異なる無線通信システムでデータ端末を共有したり、同じデータ端末で異なる種類のデータを送信する場合でも、アプリケーションが原因のトラブルを回避することが容易となり、データの信頼性に問題が発生する現象を防止できる。
【００６１】
また、本発明によれば、送信側の無線局で送信すべきデータの性質及びデータ量に応じて複数種類の伝送路の中から使用可能で、かつ、分析結果に応じた一の種類の伝送路を選択することにより、トラヒックの状況に応じて臨機応変に伝送路を選択して第１及び第２の無線局間で所定の制御局を介在させた無線通信ができるようにしたため、無線回線の使用状況や外部環境に対応して送信時点で最適な伝送路を選択することができ、無用な通信の繰り返しを防止できる。
【００６２】
更に、本発明によれば、送信すべきデータの性質及びデータ量を分析するデータ分析手段による分析結果だけでなく、更に速度情報と受信電界強度と位置情報とトラヒックの状況とに応じて、複数種類の伝送路のうち使用可能な一の種類の伝送路を選択することにより、データの性質やデータサイズだけでなく、使用状況や電波受信環境などを加味した最適な伝送路の選択ができるため、従来に比べて受信データの信頼性の高いデータ通信ができる。
【図面の簡単な説明】
【図１】本発明の無線通信システムの第１の実施の形態の概略構成図である。
【図２】本発明による無線局の第１の実施の形態のブロック図である。
【図３】本発明の第１の実施の形態における無線回線、各チャネルの構造及び通信形態の説明図である。
【図４】本発明の第１の実施の形態の要部の動作説明用フローチャートである。
【図５】本発明の無線通信システムの第２の実施の形態の概略構成図である。
【図６】本発明の第２の実施の形態における無線回線、各チャネルの構造及び通信形態の説明図である。
【図７】本発明の第２の実施の形態の要部の動作説明用フローチャートである。
【図８】本発明の無線通信システムの第３の実施の形態における無線局のブロック図である。
【図９】本発明の第３の実施の形態の要部の動作説明用フローチャートである。
【符号の説明】
１ａ、１ｂ  無線局
３ａ、３ｂ  データ端末
４、６ａ、６ｂ  無線回線
５  ＭＣＡ制御局
７、１１  データ分析手段
８、１２  伝送路選択手段
９、１３  通信手段
【図１】
2004343456.tif 000003
【図２】
2004343456.tif 000004
【図３】
2004343456.tif 000005
【図４】
2004343456.tif 000006
【図５】
2004343456.tif 000007
【図６】
2004343456.tif 000008
【図７】
2004343456.tif 000009
【図８】
2004343456.tif 000010
【図９】
2004343456.tif 000011